【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
低密度パリティチェック（ＬＤＰＣ）復号を行うための方法であって、前記方法が、
ＬＤＰＣコードワードに関連するソフトビットを受信することと、
パリティチェック行列を使用して前記ソフトビットのＬＤＰＣ復号を行うことと
を備え、ここにおいて、
前記パリティチェック行列が、
最初のＮ個の行のコア部分と、
前記最初のＮ個の行の後のハイブリッド自動再送要求（ＨＡＲＱ）行と
を備える、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された最低行の下にある連続する行の各ペア間の行直交性を有し、前記少なくとも２つのパンクチャされた変数ノードが両方とも接続された前記最低行の下の各行について、どの列も、２つの連続する行において空でないエントリを有しない、
方法。
【請求項２】
連続する行の各ペアにおいて、前記２つのパンクチャされた変数ノードが、後続の行への接続を交互に行う、請求項１に記載の方法。
【請求項３】
前記パリティチェック行列の連続する行の全てのペアの少なくとも１／２が、行直交性を有する、請求項１に記載の方法。
【請求項４】
連続する行の全てのペアの前記少なくとも１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＤ）情報に関連する行に対応する、請求項３に記載の方法。
【請求項５】
前記少なくとも２つのパンクチャされた変数ノードが両方とも接続された前記最低行の下の連続する行の各ペアにおいて、前記２つのパンクチャされた変数ノードが、後続の行への接続を交互に行う、請求項１に記載の方法。
【請求項６】
ワイヤレス通信のための装置であって、
前記装置に、低密度パリティチェック（ＬＤＰＣ）コードワードに関連するソフトビットを受信させることと、
パリティチェック行列を使用して前記ソフトビットのＬＤＰＣ復号を行うことと
を行うように構成されたプロセッサと、ここにおいて、
前記パリティチェック行列が、
最初のＮ個の行のコア部分と、
前記最初のＮ個の行の後のハイブリッド自動再送要求（ＨＡＲＱ）行と
を備える、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された最低行の下にある連続する行の各ペア間の行直交性を有し、前記少なくとも２つのパンクチャされた変数ノードが両方とも接続された前記最低行の下の各行について、どの列も、２つの連続する行において空でないエントリを有しない、
前記プロセッサに結合されたメモリと
を備える、装置。
【請求項７】
連続する行の各ペアにおいて、前記２つのパンクチャされた変数ノードが、後続の行への接続を交互に行う、請求項６に記載の装置。
【請求項８】
前記パリティチェック行列の連続する行の全てのペアの少なくとも１／２が、行直交性を有する、請求項６に記載の装置。
【請求項９】
連続する行の全てのペアの前記少なくとも１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＤ）情報に関連する行に対応する、請求項８に記載の装置。
【請求項１０】
前記少なくとも２つのパンクチャされた変数ノードが両方とも接続された前記最低行の下の連続する行の各ペアにおいて、前記２つのパンクチャされた変数ノードが、後続の行への接続を交互に行う、請求項６に記載の装置。
【請求項１１】
低密度パリティチェック（ＬＤＰＣ）符号化を行うための方法であって、前記方法が、
コードワードの情報ビットを取得することと、
パリティチェック行列に従ってＬＤＰＣコードワードのパリティビットを算出するために前記情報ビットの符号化を行うことと
を備え、ここにおいて、
前記パリティチェック行列が、
最初のＮ個の行のコア部分と、
前記最初のＮ個の行の後のハイブリッド自動再送要求（ＨＡＲＱ）行と
を備える、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された最低行の下にある連続する行の各ペア間の行直交性を有し、前記少なくとも２つのパンクチャされた変数ノードが両方とも接続された前記最低行の下の各行について、どの列も、２つの連続する行において空でないエントリを有しない、
方法。
【請求項１２】
連続する行の各ペアにおいて、前記２つのパンクチャされた変数ノードが、後続の行への接続を交互に行う、請求項１１に記載の方法。
【請求項１３】
前記パリティチェック行列の連続する行の全てのペアの少なくとも１／２が、行直交性を有する、請求項１１に記載の方法。
【請求項１４】
連続する行の全てのペアの前記少なくとも１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＤ）情報に関連する行に対応する、請求項１３に記載の方法。
【請求項１５】
前記少なくとも２つのパンクチャされた変数ノードが両方とも接続された前記最低行の下の連続する行の各ペアにおいて、前記２つのパンクチャされた変数ノードが、後続の行への接続を交互に行う、請求項１１に記載の方法。
【請求項１６】
ワイヤレス通信のための装置であって、
コードワードの情報ビットを取得することと、
パリティチェック行列に従ってＬＤＰＣコードワードのパリティビットを算出するために前記情報ビットの符号化を行うことと
をするように構成されたプロセッサと、ここにおいて、
前記パリティチェック行列が、
最初のＮ個の行のコア部分と、
前記最初のＮ個の行の後のハイブリッド自動再送要求（ＨＡＲＱ）行と
を備える、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された最低行の下にある連続する行の各ペア間の行直交性を有し、前記少なくとも２つのパンクチャされた変数ノードが両方とも接続された前記最低行の下の各行について、どの列も、２つの連続する行において空でないエントリを有しない、
前記プロセッサに結合されたメモリと
を備える、装置。
【請求項１７】
連続する行の各ペアにおいて、前記２つのパンクチャされた変数ノードが、後続の行への接続を交互に行う、請求項１６に記載の装置。
【請求項１８】
前記パリティチェック行列の連続する行の全てのペアの少なくとも１／２が、行直交性を有する、請求項１６に記載の装置。
【請求項１９】
連続する行の全てのペアの前記少なくとも１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＤ）情報に関連する行に対応する、請求項１８に記載の装置。
【請求項２０】
前記少なくとも２つのパンクチャされた変数ノードが両方とも接続された前記最低行の下の連続する行の各ペアにおいて、前記２つのパンクチャされた変数ノードが、後続の行への接続を交互に行う、請求項１６に記載の装置。
【手続補正２】
【補正対象書類名】明細書
【補正対象項目名】０１２９
【補正方法】変更
【補正の内容】
【０１２９】
[0130]  特許請求の範囲は、上記で示された厳密な構成および構成要素に限定されないことを理解されたい。上述された方法および装置の構成、動作および詳細において、特許請求の範囲から逸脱することなく、様々な改変、変更および変形が行われ得る。
以下に本願の出願当初の特許請求の範囲に記載された発明を付記する。
[Ｃ１]  低密度パリティチェック（ＬＤＰＣ）復号を行うための方法であって、前記方法が、  ＬＤＰＣコードワードに関連するソフトビットを受信することと、
パリティチェック行列を使用して前記ソフトビットのＬＤＰＣ復号を行うことと
を備え、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
方法。
[Ｃ２]  連続する行の各ペアにおいて、前記２つのパンクチャされた変数ノードが、後続の行への接続を交互に行う、Ｃ１に記載の方法。
[Ｃ３]  前記パリティチェック行列の連続する行の全てのペアの少なくとも１／２が、行直交性を有する、Ｃ１に記載の方法。
[Ｃ４]  連続する行の全てのペアの前記１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ３に記載の方法。
[Ｃ５]  前記パリティチェック行列が、
最初のＮ個の行のコア部分と、
前記最初のＮ個の行の後のハイブリッド自動再送要求（ＨＡＲＱ）行と
を備える、Ｃ１に記載の方法。
[Ｃ６]  前記少なくとも２つのパンクチャされた変数ノードが両方とも接続された前記行の下の各行について、どの列も、２つの連続する行において空でないエントリを有しない、
Ｃ５に記載の方法。
[Ｃ７]  ワイヤレス通信のための装置であって、
前記装置に、低密度パリティチェック（ＬＤＰＣ）コードワードに関連するソフトビットを受信させることと、
パリティチェック行列を使用して前記ソフトビットのＬＤＰＣ復号を行うことと
を行うように構成されたプロセッサと、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
前記プロセッサに結合されたメモリと
を備える、装置。
[Ｃ８]  連続する行の各ペアにおいて、前記２つのパンクチャされた変数ノードが、後続の行への接続を交互に行う、Ｃ７に記載の装置。
[Ｃ９]  前記パリティチェック行列の連続する行の全てのペアの少なくとも１／２が、行直交性を有する、Ｃ７に記載の装置。
[Ｃ１０]  連続する行の全てのペアの前記１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ９に記載の装置。
[Ｃ１１]  前記パリティチェック行列が、
最初のＮ個の行のコア部分と、
前記最初のＮ個の行の後のハイブリッド自動再送要求（ＨＡＲＱ）行と
を備える、Ｃ７に記載の装置。
[Ｃ１２]  前記少なくとも２つのパンクチャされた変数ノードが両方ともここにおいて接続された前記行の下の各行について、どの列も、２つの連続する行において空でないエントリを有しない、
Ｃ１１に記載の装置。
[Ｃ１３]  低密度パリティチェック（ＬＤＰＣ）復号を行うための装置であって、前記装置が、  ＬＤＰＣコードワードに関連するソフトビットを受信するための手段と、
パリティチェック行列を使用して前記ソフトビットのＬＤＰＣ復号を行うための手段とを備え、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
装置。
[Ｃ１４]  連続する行の各ペアにおいて、前記２つのパンクチャされた変数ノードが、後続の行への接続を交互に行う、Ｃ１３に記載の装置。
[Ｃ１５]  前記パリティチェック行列の連続する行の全てのペアの少なくとも１／２が、行直交性を有する、Ｃ１３に記載の装置。
[Ｃ１６]  連続する行の全てのペアの前記１／２が、前記パリティチェック行列の全ての行の最後の２／３を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ１５に記載の装置。
[Ｃ１７]  前記パリティチェック行列が、
最初のＮ個の行のコア部分と、
前記最初のＮ個の行の後のハイブリッド自動再送要求（ＨＡＲＱ）行と
を備える、Ｃ１３に記載の装置。
[Ｃ１８]  前記少なくとも２つのパンクチャされた変数ノードが両方ともここにおいて接続された前記行の下の各行について、どの列も、２つの連続する行において空でないエントリを有しない、
Ｃ１７に記載の装置。
[Ｃ１９]  低密度パリティチェック（ＬＤＰＣ）復号を行うためのコンピュータ可読媒体であって、少なくとも１つのプロセッサによって実行されたとき、前記少なくとも１つのプロセッサに、
ＬＤＰＣコードワードに関連するソフトビットを受信することと、
パリティチェック行列を使用して前記ソフトビットのＬＤＰＣ復号を行うことと
を備える動作を行わせる命令を備え、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
コンピュータ可読媒体。
[Ｃ２０]  連続する行の各ペアにおいて、前記２つのパンクチャされた変数ノードが、後続の行への接続を交互に行う、Ｃ１９に記載のコンピュータ可読媒体。
[Ｃ２１]  前記パリティチェック行列の連続する行の全てのペアの少なくとも１／２が、行直交性を有する、Ｃ１９に記載のコンピュータ可読媒体。
[Ｃ２２]  連続する行の全てのペアの前記１／２が、前記パリティチェック行列の全ての階層の最後の１／２を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ２１に記載のコンピュータ可読媒体。
[Ｃ２３]  前記パリティチェック行列が、
最初のＮ個の行のコア部分と、
前記最初のＮ個の行の後のハイブリッド自動再送要求（ＨＡＲＱ）行と
を備える、Ｃ１９に記載のコンピュータ可読媒体。
[Ｃ２４]  前記少なくとも２つのパンクチャされた変数ノードがここにおいて同じ行に接続された前記行の下の各行について、どの列も、２つの連続する行において空でないエントリを有しない、
Ｃ２３に記載のコンピュータ可読媒体。
[Ｃ２５]  低密度パリティチェック（ＬＤＰＣ）符号化を行うための方法であって、前記方法が、  コードワードの情報ビットを取得することと、
パリティチェック行列に従ってＬＤＰＣコードワードのパリティビットを算出するために前記情報ビットの符号化を行うことと
を備え、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
方法。
[Ｃ２６]  連続する行の各ペアにおいて、前記２つのパンクチャされた変数ノードが、後続の行への接続を交互に行う、Ｃ２５に記載の方法。
[Ｃ２７]  前記パリティチェック行列の連続する行の全てのペアの少なくとも１／２が、行直交性を有する、Ｃ２５に記載の方法。
[Ｃ２８]  連続する行の全てのペアの前記１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ２７に記載の方法。
[Ｃ２９]  前記パリティチェック行列が、
最初のＮ個の行のコア部分と、
前記最初のＮ個の行の後のハイブリッド自動再送要求（ＨＡＲＱ）行と
を備える、Ｃ２５に記載の方法。
[Ｃ３０]  前記少なくとも２つのパンクチャされた変数ノードが両方とも接続された前記行の下の各行について、どの列も、２つの連続する行において空でないエントリを有しない、
Ｃ２９に記載の方法。
[Ｃ３１]  ワイヤレス通信のための装置であって、
コードワードの情報ビットを取得することと、
パリティチェック行列に従ってＬＤＰＣコードワードのパリティビットを算出するために前記情報ビットの符号化を行うことと
をするように構成されたプロセッサと、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
前記プロセッサに結合されたメモリと
を備える、装置。
[Ｃ３２]  連続する行の各ペアにおいて、前記２つのパンクチャされた変数ノードが、後続の行への接続を交互に行う、Ｃ３１に記載の装置。
[Ｃ３３]  前記パリティチェック行列の連続する行の全てのペアの少なくとも１／２が、行直交性を有する、Ｃ３１に記載の装置。
[Ｃ３４]  連続する行の全てのペアの前記１／２が、前記パリティチェック行列の全ての行の最後の１／２を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ３３に記載の装置。
[Ｃ３５]  前記パリティチェック行列が、
最初のＮ個の行のコア部分と、
前記最初のＮ個の行の後のハイブリッド自動再送要求（ＨＡＲＱ）行と
を備える、Ｃ３１に記載の装置。
[Ｃ３６]  前記少なくとも２つのパンクチャされた変数ノードが両方ともここにおいて接続された前記行の下の各行について、どの列も、２つの連続する行において空でないエントリを有しない、
Ｃ３５に記載の装置。
[Ｃ３７]  低密度パリティチェック（ＬＤＰＣ）符号化を行うための装置であって、前記装置が、  コードワードの情報ビットを取得するための手段と、
パリティチェック行列に従ってＬＤＰＣコードワードのパリティビットを算出するために前記情報ビットの符号化を行うための手段と
を備え、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
装置。
[Ｃ３８]  連続する行の各ペアにおいて、前記２つのパンクチャされた変数ノードが、後続の行への接続を交互に行う、Ｃ３７に記載のアパルタウス。
[Ｃ３９]  前記パリティチェック行列の連続する行の全てのペアの少なくとも１／２が、行直交性を有する、Ｃ３７に記載の装置。
[Ｃ４０]  連続する行の全てのペアの前記１／２が、前記パリティチェック行列の全ての行の最後の２／３を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ３９に記載の装置。
[Ｃ４１]  前記パリティチェック行列が、
最初のＮ個の行のコア部分と、
前記最初のＮ個の行の後のハイブリッド自動再送要求（ＨＡＲＱ）行と
を備える、Ｃ３７に記載の装置。
[Ｃ４２]  前記少なくとも２つのパンクチャされた変数ノードが両方ともここにおいて接続された前記行の下の各行について、どの列も、２つの連続する行において空でないエントリを有しない、
Ｃ４１に記載の装置。
[Ｃ４３]  低密度パリティチェック（ＬＤＰＣ）符号化を行うためのコンピュータ可読媒体であって、少なくとも１つのプロセッサによって実行されたとき、前記少なくとも１つのプロセッサに、
コードワードの情報ビットを取得することと、
パリティチェック行列に従ってＬＤＰＣコードワードのパリティビットを算出するために前記情報ビットの符号化を行うことと
をさせる命令を備え、ここにおいて、
前記パリティチェック行列の各行が、リフトされたＬＤＰＣコードのリフトされたパリティチェックに対応し、
前記パリティチェック行列の少なくとも２つの列が、前記リフトされたＬＤＰＣコードのパンクチャされた変数ノードに対応し、
前記パリティチェック行列は、少なくとも２つのパンクチャされた変数ノードが両方とも接続された行の下にある連続する行の各ペア間の行直交性を有する、
コンピュータ可読媒体。
[Ｃ４４]  連続する行の各ペアにおいて、前記２つのパンクチャされた変数ノードが、後続の行への接続を交互に行う、Ｃ４３に記載のコンピュータ可読媒体。
[Ｃ４５]  前記パリティチェック行列の連続する行の全てのペアの少なくとも１／２が、行直交性を有する、Ｃ４３に記載のコンピュータ可読媒体。
[Ｃ４６]  連続する行の全てのペアの前記１／２が、前記パリティチェック行列の全ての階層の最後の１／２を備え、ここにおいて、前記パリティチェック行列の全ての行の最後の１／２が、前記ＬＤＰＣコードワードのハイブリッド自動再送要求（ＨＡＲＱ）情報に関連する行に対応する、Ｃ４５に記載のコンピュータ可読媒体。
[Ｃ４７]  前記パリティチェック行列が、
最初のＮ個の行のコア部分と、
前記最初のＮ個の行の後のハイブリッド自動再送要求（ＨＡＲＱ）行と
を備える、Ｃ４３に記載のコンピュータ可読媒体。
[Ｃ４８]  前記少なくとも２つのパンクチャされた変数ノードがここにおいて同じ行に接続された前記行の下の各行について、どの列も、２つの連続する行において空でないエントリを有しない、
Ｃ４７に記載のコンピュータ可読媒体。